(57)【特許請求の範囲】
【請求項１】
表示デバイスに文章を表示させ、操作者による操作を受け付ける文章表示装置であって、
予め定められた特徴位置を含む文章を前記表示デバイスに表示させる表示制御部と、
２次元の入力領域を有する入力デバイスに対する、操作者の指による操作を受け付けて、指の接触の有無と、指が接触している指位置に対応するＸＹ座標とを検出する入力部と、
前記入力部により指が接触したと検出されたときに、前記入力部により検出されたＸＹ座標と、前記表示制御部により表示されている文章中の注目表示位置とを対応付け、当該注目表示位置と前記特徴位置との相対距離を計算し、当該相対距離と、前記入力部により検出されたＸＹ座標とに基づいて、当該注目表示位置から前記特徴位置までの距離に応じた触感提示量及び前記入力領域における前記特徴位置に対応する座標値を算出する演算部と、
操作者に対して、前記演算部により算出された座標値が示す前記入力領域における位置が、前記触感提示量が示す高さに隆起、または陥没している触感を与える触感提示部とを備えることを特徴とする、文章表示装置。
【請求項２】
前記触感提示部は、
前記演算部により算出された座標値が示す前記入力領域における位置を、前記触感提示量が示す高さに隆起、または陥没させることを特徴とする、請求項１に記載の文章表示装置。
【請求項３】
前記触感提示部は、
前記演算部により算出された座標値が示す前記入力領域における位置に、振動による擬似的な前記触感提示量が示す高さの隆起、または陥没を起こさせることを特徴とする、請求項１に記載の文章表示装置。
【請求項４】
前記演算部は、
前記入力部による検出結果に基づいて、指が接触したまま前記指位置が移動する操作を検知し、当該移動によるＸＹ座標の変動量に応じて、表示されている文章中の前記注目表示位置の移動量を計算し、
前記表示制御部は、
前記演算部による計算結果に従って、前記注目表示位置を移動させ、
ここで、前記触感提示部により操作者に対して隆起、または陥没している触感を与えた位置まで前記指位置が移動したと前記入力部により検出されたときには、前記注目表示位置を前記特徴位置まで移動することを特徴とする、請求項１に記載の文章表示装置。
【請求項５】
前記触感提示部は、さらに、
前記入力部により指が離れたと検出されたときに、前記操作者に対して、隆起、または陥没している触感を与えた位置を、元の状態に戻すことを特徴とする、請求項１に記載の文章表示装置。
【請求項６】
前記特徴位置は、前記表示制御部により表示されている文章の終端位置、または当該文章の各段落の終端位置に相当し、
前記演算部は、
前記入力領域における前記終端位置に対応するＹ座標を算出し、
前記触感提示部は、
操作者に対して、前記演算部により算出されたＹ座標が示す前記入力領域におけるＸ座標方向に長い位置が、隆起、または陥没している触感を与えることを特徴とする、請求項１に記載の文章表示装置。
【請求項７】
前記特徴位置は、前記表示制御部により表示されている文章、または当該文章の各段落の始端位置と終端位置とに相当し、
前記演算部は、
前記入力領域における前記始端位置と前記終端位置とにそれぞれ対応するＹ座標を算出し、
前記触感提示部は、
操作者に対して、前記演算部により算出された各Ｙ座標が示す前記入力領域におけるＸ座標方向に長い位置をが、それぞれ隆起、または陥没している触感を与えることを特徴とする、請求項１に記載の文章表示装置。
【請求項８】
前記文章表示装置は、さらに、
前記表示制御部により表示されている文章中の、操作者が既に読んだ部分と読んでいない部分との境界を示すしおり位置を、記憶、及び変更するしおり管理部を備え、
前記特徴位置は、前記しおり位置に相当し、
前記演算部は、
前記入力領域における前記しおり位置に対応するＹ座標を算出し、
前記触感提示部は、
操作者に対して、前記演算部により算出されたＹ座標が示す前記入力領域におけるＸ座標方向に長い位置が、隆起、または陥没している触感を与えることを特徴とする、請求項１に記載の文章表示装置。
【請求項９】
前記表示制御部は、
予め定められた複数の見出し位置を前記特徴位置として含む辞書を前記表示デバイスに表示させ、
前記演算部は、
前記入力領域における前記複数の見出し位置のそれぞれに対応するＸＹ座標を複数算出し、
前記触感提示部は、
操作者に対して、前記演算部により算出された複数のＸＹ座標が示す前記入力領域におけるそれぞれの位置及びその周辺が、隆起、または陥没している触感を与えることを特徴とする、請求項１に記載の文章表示装置。
【請求項１０】
前記触感提示部は、
前記演算部により算出された複数のＸＹ座標に基づいて、前記入力領域を隆起、または陥没させることにより、階段状の辞書インデックスを形成することを特徴とする、請求項９に記載の文章表示装置。
【請求項１１】
前記文章表示装置は、さらに、
前記触感提示部において前記辞書インデックスが形成される際の階段の数を、操作者に任意に設定させる設定部を備えることを特徴とする、請求項１０に記載の文章表示装置。
【請求項１２】
表示デバイスに文章を表示させ、操作者による操作を受け付ける文章表示装置において実行される文章表示プログラムであって、
前記文章表示装置に、
予め定められた特徴位置を含む文章を前記表示デバイスに表示させる表示制御ステップと、
２次元の入力領域を有する入力デバイスに対する、操作者の指による操作を受け付けて、指の接触の有無と、指が接触している指位置に対応するＸＹ座標とを検出する入力ステップと、
前記入力ステップにより指が接触したと認識されたときに、前記入力ステップにより検出されたＸＹ座標と、前記表示制御ステップにより表示されている文章中の注目表示位置とを対応付け、当該注目表示位置と前記特徴位置との相対距離を計算し、当該相対距離と、前記入力ステップにより認識されたＸＹ座標とに基づいて、前記入力デバイスの入力領域における前記特徴位置に対応する座標値を算出する演算ステップと、
操作者に対して、前記演算ステップにより算出された座標値が示す前記入力デバイスの入力領域における位置が、隆起、または陥没している触感を与える触感提示ステップとを実行させることを特徴とする、文章表示プログラム。
【請求項１３】
表示デバイスに文章を表示させ、操作者による操作を受け付ける文章表示方法であって、
予め定められた特徴位置を含む文章を前記表示デバイスに表示させる表示制御ステップと、
２次元の入力領域を有する入力デバイスに対する、操作者の指による操作を受け付けて、指の接触の有無と、指が接触している指位置に対応するＸＹ座標とを検出する入力ステップと、
前記入力ステップにより指が接触したと認識されたときに、前記入力ステップにより検出されたＸＹ座標と、前記表示制御ステップにより表示されている文章中の注目表示位置とを対応付け、当該注目表示位置と前記特徴位置との相対距離を計算し、当該相対距離と、前記入力ステップにより認識されたＸＹ座標とに基づいて、前記入力デバイスにおける前記特徴位置に対応する座標値を算出する演算ステップと、
操作者に対して、前記演算ステップにより算出された座標値が示す前記入力デバイスの入力領域における位置が、隆起、または陥没している触感を与える触感提示ステップとを含むことを特徴とする、文章表示方法。
【発明の詳細な説明】
【技術分野】
【０００１】
本発明は、文章データに基づいて文章をモニタ等に表示する文章表示装置に関し、より特定的には、表示する文章の内容や構成に応じた触感を操作者に提示するための技術に関する。
【背景技術】
【０００２】
画面操作や入力操作等を行う際には、操作者がモニタ等に表示された画像を見ながら、マウスやタッチパネル等のポインティングデバイスやキーボードを操作する方法が一般的である。
このように、操作者は操作に必要な情報を主に視覚から得ているのであるが、他の五感を用いた情報を出力する装置も存在する。
例えば、操作ミス等の不適切な操作が行われた際に、ビープ音を鳴らして警告する装置がある。
また例えば、視覚障害者のために点字を出力する装置がある。
また、タッチパネルへの入力操作に応じて、圧電アクチュエータによりパネル表面を振動させる、触覚機能付きの入出力装置が特許文献１に開示されている。
【先行技術文献】
【特許文献】
【０００３】
【特許文献１】特開２００６−１９５７３４号公報
【発明の概要】
【発明が解決しようとする課題】
【０００４】
特許文献１のような振動による触感は、エラー発生時のように操作者に注意を促すような用途や、携帯電話の着信のように主たる単独の機能を提示するような用途には向いているかもしれない。しかしながら、例えば振動による触感を、予め決まっていない何らかの事象が起こったことを操作者に提示するような用途に用いた場合には、操作者はどのような事象によって振動が発生したのかを感覚的に知ることができない。例えば、上記特許文献１のような振動による触感を、モニタに表示している文章や文章の段落の始端及び終端において振動させるような用途に用いた場合には、視覚に頼らなければ、振動を発生させた事象が始端なのか、終端なのか、あるいはエラー等の他の事象が発生したのか、操作者には見当が付かない。【０００５】
さらに、上記特許文献１において短い段落をモニタに表示しスクロール操作を行う場合には、段落の始端と終端とがスクロール操作において近い位置になるため、振動を発生させた事象が段落の始端なのか終端なのか、操作者には判り難い。
よって、上記特許文献１は、マニュアルを読まずに操作できるような使い勝手のよい装置には成り得ない。【０００６】
また、振動による触感だけでは位置を特定することができないので、上記特許文献１において操作者は、振動を感知すると、そのときのモニタの表示画面を見て位置を特定した後に、次の操作を行うことになる。このように、上記特許文献１において、操作者が位置を特定するまでに、触覚と視覚の両方の感覚を順に使わなくてはならないので面倒であり、かつそれなりの時間を要する。
よって、上記特許文献１は、操作者に対して迅速な操作が行えるように支援するものではない。【０００７】
それ故に、本発明は、文章をモニタ等に表示させ、表示している文章の内容や構成に応じた触感による出力を、操作者が感覚的に認識できるように提示することにより、操作者が視覚に頼らなくても触感により文章中の位置を感覚的に知ることができるようにして、操作者に対して迅速な操作が行えるように支援する文章表示装置、文章表示プログラム、及び文章表示方法を提供することを目的とする。
【課題を解決するための手段】
【０００８】
本発明は、文章表示装置、文章表示プログラム、及び文章表示方法に向けられている。そして上記課題を解決するために、本発明の文章表示装置は、表示デバイスに文章を表示させ、操作者による操作を受け付ける文章表示装置であって、表示制御部、入力部、演算部、及び触感提示部を備える。表示制御部は、予め定められた特徴位置を含む文章を前記表示デバイスに表示させる。入力部は、２次元の入力領域を有する入力デバイスに対する、操作者の指による操作を受け付けて、指の接触の有無と、指が接触している指位置に対応するＸＹ座標とを検出する。演算部は、前記入力部により指が接触したと検出されたときに、前記入力部により検出されたＸＹ座標と、前記表示制御部により表示されている文章中の注目表示位置とを対応付け、当該注目表示位置と前記特徴位置との相対距離を計算し、当該相対距離と、前記入力部により検出されたＸＹ座標とに基づいて、前記入力領域における前記特徴位置に対応する座標値を算出する。触感提示部は、操作者に対して、前記演算部により算出された座標値が示す前記入力領域における位置が、隆起、または陥没している触感を与える。【０００９】
好ましくは、前記触感提示部は、前記演算部により算出された座標値が示す前記入力領域における位置を、隆起、または陥没させるとよい。【００１０】
好ましくは、前記触感提示部は、前記演算部により算出された座標値が示す前記入力領域における位置に、振動による擬似的な隆起、または陥没を起こさせるとよい。【００１１】
好ましくは、前記演算部は、前記入力部による検出結果に基づいて、指が接触したまま前記指位置が移動する操作を検知し、当該移動によるＸＹ座標の変動量に応じて、表示されている文章中の前記注目表示位置の移動量を計算し、前記表示制御部は、前記演算部による計算結果に従って、前記注目表示位置を移動させ、ここで、前記触感提示部により操作者に対して隆起、または陥没している触感を与えた位置まで前記指位置が移動したと前記入力部により検出されたときには、前記注目表示位置を前記特徴位置まで移動するとよい。【００１２】
好ましくは、前記触感提示部は、さらに、前記入力部により指が離れたと検出されたときに、前記操作者に対して、隆起、または陥没している触感を与えた位置を、元の状態に戻すとよい。【００１３】
好ましくは、前記特徴位置は、前記表示制御部により表示されている文章の終端位置、または当該文章の各段落の終端位置に相当し、前記演算部は、前記入力領域における前記終端位置に対応するＹ座標を算出し、前記触感提示部は、操作者に対して、前記演算部により算出されたＹ座標が示す前記入力領域におけるＸ座標方向に長い位置が、隆起、または陥没している触感を与えるとよい。【００１４】
好ましくは、前記特徴位置は、前記表示制御部により表示されている文章、または当該文章の各段落の始端位置と終端位置とに相当し、前記演算部は、前記入力領域における前記始端位置と前記終端位置とにそれぞれ対応するＹ座標を算出し、前記触感提示部は、操作者に対して、前記演算部により算出された各Ｙ座標が示す前記入力領域におけるＸ座標方向に長い位置をが、それぞれ隆起、または陥没している触感を与えるとよい。
【００１５】
好ましくは、前記文章表示装置は、さらに、前記表示制御部により表示されている文章中の、操作者が既に読んだ部分と読んでいない部分との境界を示すしおり位置を、記憶、及び変更するしおり管理部を備え、前記特徴位置は、前記しおり位置に相当し、前記演算部は、前記入力領域における前記しおり位置に対応するＹ座標を算出し、前記触感提示部は、操作者に対して、前記演算部により算出されたＹ座標が示す前記入力領域におけるＸ座標方向に長い位置が、隆起、または陥没している触感を与えるとよい。【００１６】
好ましくは、前記表示制御部は、予め定められた複数の見出し位置を前記特徴位置として含む辞書を前記表示デバイスに表示させ、前記演算部は、前記入力領域における前記複数の見出し位置のそれぞれに対応するＸＹ座標を複数算出し、前記触感提示部は、操作者に対して、前記演算部により算出された複数のＸＹ座標が示す前記入力領域におけるそれぞれの位置及びその周辺が、隆起、または陥没している触感を与えるとよい。
好ましくは、前記触感提示部は、前記演算部により算出された複数のＸＹ座標に基づいて、前記入力領域を隆起、または陥没させることにより、階段状の辞書インデックスを形成するとよい。
好ましくは、前記文章表示装置は、さらに、前記触感提示部において前記辞書インデックスが形成される際の階段の数を、操作者に任意に設定させる設定部を備えるとよい。【００１７】
また上記課題を解決するために、本発明の文章表示プログラムは、表示デバイスに文章を表示させ、操作者による操作を受け付ける文章表示装置において実行される文章表示プログラムであって、前記文章表示装置に、表示制御ステップ、入力ステップ、演算ステップ、及び触感提示ステップを実行させることを特徴とする。表示制御ステップは、予め定められた特徴位置を含む文章を前記表示デバイスに表示させる。入力ステップは、２次元の入力領域を有する入力デバイスに対する、操作者の指による操作を受け付けて、指の接触の有無と、指が接触している指位置に対応するＸＹ座標とを検出する。演算ステップは、前記入力ステップにより指が接触したと認識されたときに、前記入力ステップにより検出されたＸＹ座標と、前記表示制御ステップにより表示されている文章中の注目表示位置とを対応付け、当該注目表示位置と前記特徴位置との相対距離を計算し、当該相対距離と、前記入力ステップにより認識されたＸＹ座標とに基づいて、前記入力デバイスの入力領域における前記特徴位置に対応する座標値を算出する。触感提示ステップは、操作者に対して、前記演算ステップにより算出された座標値が示す前記入力デバイスの入力領域における位置が、隆起、または陥没している触感を与える。
【００１８】
また上記課題を解決するために、本発明の文章表示方法は、表示デバイスに文章を表示させ、操作者による操作を受け付ける文章表示方法であって、表示制御ステップ、入力ステップ、演算ステップ、及び触感提示ステップを含む。表示制御ステップは、予め定められた特徴位置を含む文章を前記表示デバイスに表示させる。入力ステップは、２次元の入力領域を有する入力デバイスに対する、操作者の指による操作を受け付けて、指の接触の有無と、指が接触している指位置に対応するＸＹ座標とを検出する。演算ステップは、前記入力ステップにより指が接触したと認識されたときに、前記入力ステップにより検出されたＸＹ座標と、前記表示制御ステップにより表示されている文章中の注目表示位置とを対応付け、当該注目表示位置と前記特徴位置との相対距離を計算し、当該相対距離と、前記入力ステップにより認識されたＸＹ座標とに基づいて、前記入力デバイスにおける前記特徴位置に対応する座標値を算出する。触感提示ステップは、操作者に対して、前記演算ステップにより算出された座標値が示す前記入力デバイスの入力領域における位置が、隆起、または陥没している触感を与える。
【発明の効果】
【００１９】
以上のように、本発明においては、入力部において、指が接触した指位置を基準にして、表示している文章や文章の段落の始点と終点、しおり位置、及び辞書のインデックス（見出し）等の特徴位置に相当する入力部上の位置を、隆起、または陥没させることができる。このような構成によれば、操作者は、入力部により表示している文章に対する操作を行うのに際し、自身の指で、隆起、または陥没を感じることにより特徴位置に達したことを感覚的に知ることができる。よって、操作者は、モニタの表示画面を見なくても次の操作を行うことができるようになるので、本発明は、操作者が迅速な操作を行なうことを支援することができる。
【図面の簡単な説明】
【００２０】
【図１】図１は、本発明に係る文章表示システム１０の概観を示す図である。
【図２】図２は、本発明に係る文章表示システム２０の機能構成の概要を示す図である。
【図３】図３は、入力部１２０と触感提示部１４０の構造の概略を示す図である。
【図４】図４は、入力領域を立体的な形状にし、操作者に対して感覚的な提示形態を提供している状態の、入力部１２０と触感提示部１４０との断面を模式的に示す図である。
【図５】図５は、文章表示システム１０における動作の概要を示す図である。
【図６】図６は、文章表示システム１０における動作の概要を示す図である。
【図７】図７は、本発明の第１の実施形態における、文章中の特徴位置（段落等の終端位置）に応じて触感提示を行う方法の手順を示す図である。
【図８】図８は、表示領域演算部１３１の動作の具体例を説明するための図である。
【図９】図９は、仮想端点演算部１３２の動作の具体例を説明するための図である。
【図１０】図１０は、提示演算部１３３の動作の具体例を説明するための図である。
【図１１】図１１は、本発明の第１の変形例に係る文章表示システム３０の機能構成の概要を示す図である。
【図１２】図１２は、入力部１２０における２次元の入力領域に触感提示された辞書のインデックスを示す図である。
【図１３】図１３は、入力部１２０における２次元の入力領域に触感提示された辞書のインデックスを示す図である。
【図１４】図１４は、入力部１２０における２次元の入力領域に触感提示された辞書のインデックスの他の例を示す図である。
【図１５】図１５は、本発明の第３の変形例に係る文章表示システム４０の機能構成の概要を示す図である。
【図１６】図１６は、表示デバイス２００に表示される設定用画面を示す図である。
【図１７】図１７は、横方向に指を動かし、画面を横スクロールさせる際の触感提示の様子を示す図である。
【図１８】図１８は、円形の領域を隆起させて触感提示する様子を示す図である。
【図１９】図１９は、ドーナツ型を半分にしたような、奥側に向かって凹の領域を隆起させて触感提示する様子を示す図である。
【図２０】図２０は、本発明の第４の変形例に係る文章表示システム５０の機能構成の概要を示す図である。
【発明を実施するための形態】
【００２１】
［第１の実施形態］
＜概要＞
第１の実施形態は、パソコンのモニタ等に表示された文章を見ながら、タッチパッドやタッチパネルのような２次元の入力領域を有するポインティングデバイスを用いて入力操作を行うような状況において、ポインティングデバイスの入力領域の一部を隆起、または陥没させることにより、操作者に対して表示された文章中の特定の位置が、隆起、または陥没している触感を与え、操作者に対して表示された文章中の特定の位置を感覚的に提示するものである。より具体的には、例えば文章中の各段落等の終端位置に相当する部分を直線状に隆起させることにより、操作者は、隆起した部分に指が当たるまでは段落等が続いていることが感覚的にわかる。また、操作者は、隆起した部分に指が当たると、そこが段落等の終端位置であることを感覚的に知ることができる。また、段落等の終端位置までカーソル等を移動させたい場合には、操作者は隆起した部分まで一気に指を動かすだけでよいので、モニタ等の表示を確認せずに次の操作を行うことができ迅速な操作が行える。
【００２２】
＜構成＞
図１は、本発明に係る文章表示システム１０の概観を示す図である。
図１に示すように、文章表示システム１０は、ノートパソコンと同様の形状及び機能を備えており、文章を表示するモニタ１１、入力操作を受け付けるタッチパッド１２、演算回路や記憶回路等を含むパソコン本体１３、及び本願において新たに追加する触感提示デバイス１４を備える。ここで、モニタ１１には文章の一部分が表示されており、モニタ１１中の矢印は、指位置に対応付けられた注目表示位置を示す。また、注目表示位置とは、アクティブラインを示すアンダーラインや反転表示等のように、強調表示されかつ操作が有効な行を示す位置、及び操作が有効な点を示すマウスポインタの位置等である。また図中の点線で示した矩形の枠１５は、モニタ１１に表示された文章の１段落分のイメージを示す。
【００２３】
触感提示デバイス１４は、タッチパッド１２の裏面から入力領域の一部を隆起、または陥没させる。図１ではモニタ１１に表示している段落の終端位置に相当する入力領域の部分を隆起させているところを示している。
なお、ここで文章表示システム１０が従来のノートパソコンの形状を元にしているので、モニタ１１、タッチパッド１２、パソコン本体１３、及び触感提示デバイス１４が一体化した形状となっているが、これらの構成は一体化せずにそれぞれ独立していてもよい。例えば、デスクトップパソコンの形状を元にすると、モニタ１１は他の構成とは独立した別の装置（表示デバイス）となる。また、タッチパッド１２や触感提示デバイス１４も他の構成とは独立した装置であってもよい。ここで、モニタ１１、タッチパッド１２、及び触感提示デバイス１４が独立した装置である場合には、これらはそれぞれ外部機器としてパソコン本体１３の通信ポート（図示せず）に接続されて、全体が連動して動作する。
また、タッチパッド１２の代わりに、タッチパネルを用いてもよい。
【００２４】
図２は、本発明に係る文章表示システム２０の機能構成の概要を示す図である。
図２に示す文章表示システム２０は、文章表示装置１００、及び表示デバイス２００から構成されている。
文章表示装置１００は、表示デバイス２００に文章を表示させ、操作者による操作を受け付ける入出力装置であり、図２に示すように、表示制御部１１０、入力部１２０、演算部１３０、及び触感提示部１４０を含む。
表示デバイス２００は、液晶モニタ等の画像表示装置である。
【００２５】
表示制御部１１０は、通信ポート（図示せず）を介して表示デバイス２００と接続され、予め定められた特徴位置の情報を含む文章データを記憶し、当該文章データに基づいて表示デバイス２００に文章を表示させる。ここで特徴位置とは、第１の実施形態では文章中の段落の、所定の区切り毎の最後の行の位置である。
入力部１２０は、図１に示したタッチパッド１２に相当する２次元の入力領域を有するポインティングデバイスを含み、ポインティングデバイスに対する操作者の指による操作を受け付けて、指の接触の有無と、指が接触している指位置に対応するＸＹ座標とを検出する。なお、入力部１２０の基本的な構成及び動作等は、従来のトラックパッドやタッチパッドと同等であり、その詳細な説明は割愛する。
【００２６】
演算部１３０は、図１に示したパソコン本体１３に相当し、表示領域演算部１３１、仮想端点演算部１３２、提示演算部１３３を含む。
表示領域演算部１３１は、入力部１２０により指が接触したと検出されたときに、入力部１２０により検出された指位置に対応するＸＹ座標と、表示制御部１１０により表示デバイス２００に表示されている文章中の注目表示位置とを対応付ける。ここで、注目表示位置とは、アクティブラインを示すアンダーラインや反転表示等のように、強調表示されかつ操作が有効な行を示す位置、及び操作が有効な点を示すマウスポインタの位置等である。
【００２７】
また表示領域演算部１３１は、入力部１２０による検出結果に基づいて、指が接触したまま指位置が移動する操作を検知し、移動によるＸＹ座標の変動量に応じて、表示デバイス２００に表示されている文章中の注目表示位置の移動量や文章のスクロール量を計算する。
表示制御部１１０は、表示領域演算部１３１による計算結果に従って、注目表示位置を移動させたり、文章をスクロールさせる。
【００２８】
また仮想端点演算部１３２は、注目表示位置と特徴位置との相対距離を計算し、計算した相対距離と入力部１２０により検出されたＸＹ座標とに基づいて、隆起、または陥没させることができる触感提示部１４０における触感提示可能範囲内に、特徴位置に対応する座標が入っているか否かを判定する。
また提示演算部１３３は、仮想端点演算部１３２により触感提示可能範囲内に、特徴位置に対応する座標が入っていると判定された場合に、仮想端点演算部１３２により計算された相対距離と、入力部１２０により検出されたＸＹ座標とに基づいて、注目表示位置から特徴位置までの距離に応じた触感提示量と、特徴位置に対応する提示演算部１３３における座標値とを算出する。
【００２９】
触感提示部１４０は、図１に示した触感提示デバイス１４に相当し、入力デバイスの入力領域における演算部１３０により算出された座標値が示す位置を、隆起、または陥没させる。
ここで触感提示部１４０により隆起、または陥没された位置まで、入力デバイス上を操作者の指が移動したと入力部１２０により検出されたときには、表示デバイス２００に表示されている文章中の注目表示位置が特徴位置に移動する。
【００３０】
また触感提示部１４０は、入力部１２０により指が離れたと検出されたときに、先に隆起、または陥没させた位置を、元の平坦な状態に戻す。なお、本実施形態においては、指が離れたときに、隆起、または陥没させた位置を平坦な状態に戻すようにしているが、必ずしも平坦な状態に戻さなくてもよい。また、別のタイミングで平坦な状態に戻すようにしてもよい。例えば、指が離れたときには平坦な状態に戻さず、次に指が接触したときに、新しい接触位置に基づいて、隆起、または陥没させるだけでもよい。
【００３１】
図３は、入力部１２０と触感提示部１４０の構造の概略を示す図である。
図３に示すように、入力部１２０における２次元の入力領域は、入力面に垂直な方向（図中矢印の上下方向）に５〜１０ミリ程度の変形が可能な柔軟性を持っている。触感提示部１４０は、入力部１２０の入力領域の裏面全体に位置し、任意の大きさのドットで構成される面を任意の高さに多段階に上下させることが可能であり、ドットの形状と高さを組み合わせて当該入力領域の一部を変形させることにより、入力領域を立体的な形状にし、操作者に対して感覚的な提示形態を提供するものである。
【００３２】
図４は、入力領域を立体的な形状にし、操作者に対して感覚的な提示形態を提供している状態の、入力部１２０と触感提示部１４０との断面を模式的に示す図である。
図４に示すように、入力部１２０と触感提示部１４０とは一体化して、触感提示部１４０の変形に合わせて入力部１２０の入力領域が変形し、入力領域の一部を隆起または陥没した形状にすることができる。
【００３３】
＜動作概要＞
図５、図６は、文章表示システム１０における動作の概要を示す図である。ここで、図１と同様に、モニタ１１には文章の一部分が表示されており、モニタ１１の画面中の矢印で示すラインは、指位置に対応付けられた注目表示位置を示す。また図中の点線で示した矩形の枠１６〜１９は、モニタ１１に表示された文章の１段落分のイメージを示す。
図５中の（ａ）において、操作者がタッチパッド１２を用いて、指による情報入力操作を開始すると、タッチパッド１２の入力領域に接触させた指の位置と文章上の注目表示位置の座標値とが対応付けられる。ここでは指をタッチパッド１２の入力領域に接触させたときに、指位置に対応するタッチパッド１２におけるＸＹ座標値（１５０，２０）が出力され、これが、表示された文章上の注目表示位置の座標値（０，３０００）に対応付けられている。
【００３４】
図５中の（ｂ）において、使用者がタッチパッド１２の入力領域に接触させた指を手前方向へ移動させると、モニタ１１に表示された文章がスクロールアップし、段落等の終端位置が近づいてくる。そこで段落等の終端位置に相当する位置が入力領域内に有るか否かが判断され、有ると判断されると、触感提示デバイス１４が入力領域内の該当する位置の高さを周辺と異ならせることで、タッチパッド１２の入力領域を隆起、または陥没させる。ここでは、指位置がタッチパッド１２におけるＸＹ座標値（１５０，１００）のときに、これが、表示された文章上の注目表示位置の座標値（０，８０００）に対応付けられる。さらに、表示された文章上の段落等の終端位置（５００，１００００）に相当する触感提示デバイス１４における位置（５０、６６）を含むＸ方向に横長の部分が隆起され、段落等の終端位置を示す立体的な形状が操作者へ提示される。
【００３５】
図６中の（ａ）において、操作者がタッチパッド１２の入力領域に接触させた指を、さらに手前方向へ移動させ、その指が隆起または陥没している部分に触れると、ちょうどそこが段落等の終端位置に相当することになる。そしてモニタ１１には段落等の終端位置を含む行が表示され、そこが注目表示位置になる。ここでは、指位置が（１５０，２００）のときに隆起している部分に触れると、段落等の終端位置を含む行の先頭位置（０、１００００）が注目表示位置になる。このようにして操作者は段落の終端に達したことを触覚によって直感的に認識することができる。
図６中の（ｂ）において、図５中の（ｂ）の状態から操作者がタッチパッド１２の入力領域に接触させた指を離すと、隆起または陥没している部分が元の状態に戻る。
【００３６】
＜動作手順＞
図７は、本発明の第１の実施形態における、文章中の特徴位置（段落等の終端位置）に応じて触感提示を行う方法の手順を示す図である。
図８は、表示領域演算部１３１の動作の具体例を説明するための図である。
（１）表示制御部１１０が、文章を表示デバイス２００に表示させる（ステップＳ１）。図８では文章上の左上隅の座標を（０，０）、右下隅の座標を（５００，１００００）とする。また、このうちの文章上の座標（０，７５００）から（５００，８５００）までの領域がモニタ１１（表示デバイス２００に相当）に表示されているものとする。
【００３７】
（２）入力部１２０により入力領域に指が接触したと検出されるまで待つ（ステップＳ２）。図８ではタッチパッド１２（入力部１２０に相当）における左上隅の座標を（０，０）、右下隅の座標を（３００，３００）とする。
（３）指が接触したと検出されると（ステップＳ２：ＹＥＳ）、入力部１２０が指位置に対応するＸＹ座標を検出する（ステップＳ３）。図８ではタッチパッド１２におけるＸＹ座標（１５０，１００）が検出されたものとする。
【００３８】
（４）表示領域演算部１３１が、入力部１２０により検出された指位置に対応するＸＹ座標と、表示デバイス２００に表示されている文章中の注目表示位置とを対応付ける（ステップＳ４）。図８では指位置に対応するタッチパッド１２におけるＸＹ座標は（１５０，１００）である。また、文章中の注目表示位置は（０，８０００）を通るＸ軸に平行な１行である。また、注目表示位置のモニタ１１における座標は、（０，３５０）を通るＸ軸に平行な１行である。
（５）入力部１２０により入力領域から指が離れたと検出されているか否かを判断する（ステップＳ５）。
【００３９】
（６）指が離れたと検出された場合には（ステップＳ５：ＹＥＳ）、触覚提示量を強制的にゼロにする等して、隆起または陥没している部分を元の状態に戻し、ステップＳ２（指の接触待ち）に戻る（ステップＳ６）。
（７）指が離れたと検出されない場合には（ステップＳ５：ＮＯ）、表示領域演算部１３１が、タッチイン位置からドラッグ位置までの、指が接触したまま移動した指位置の移動量を計算する（ステップＳ７）。
【００４０】
（８）表示領域演算部１３１が、ステップＳ５において計算した指位置の移動量から、表示デバイス２００に表示されている文章中の注目表示位置の移動量や文章のスクロール量を計算する（ステップＳ８）。
（９）表示制御部１１０が、演算部１３０による計算結果に従って、注目表示位置を移動させ、文章をスクロールさせる（ステップＳ９）。
図９は、仮想端点演算部１３２の動作の具体例を説明するための図である。
【００４１】
（１０）仮想端点演算部１３２が、表示デバイス２００に表示されている文章中の注目表示位置と特徴位置との相対距離を計算する（ステップＳ１０）。図９では文章中の注目表示位置のＹ座標値「８０００」と特徴位置のＹ座標値「１００００」との差分より相対距離「２０００」を算出する。
（１１）仮想端点演算部１３２が、計算した相対距離と入力部１２０により検出されたＸＹ座標とに基づいて、触感提示部１４０における隆起、または陥没させることができる触感提示可能範囲内に、特徴位置に対応する座標が入っているか否かを判定する（ステップＳ１１）。特徴位置に対応する座標が入っていない場合には（ステップＳ１１：ＮＯ）、ステップＳ５（指が離れたと検出されているか否かの判断）へ行く。
【００４２】
図１０は、提示演算部１３３の動作の具体例を説明するための図である。
（１２）触感提示可能範囲内に、特徴位置に対応する座標が入っている場合には（ステップＳ１１：ＹＥＳ）、提示演算部１３３が、特徴位置に対応する触感提示部１４０における座標値を算出する（ステップＳ１２）。図１０では特徴位置に対応する触感提示デバイス１４（触感提示部１４０に相当）における座標値（５０，６６）を算出する。
（１３）提示演算部１３３が、注目表示位置から特徴位置までの距離に応じて触感提示量を計算する（ステップＳ１３）。
【００４３】
（１４）触感提示部１４０が、提示演算部１３３により算出された座標値が示す位置を、触感提示量が示す高さに隆起、または陥没させる（ステップＳ１４）。図１０では算出された座標値（５０，６６）を通るＸ軸に平行な一行の直線を境に、そこから手前の一部を隆起させている。
（１５）ステップＳ１４において隆起、または陥没させた部分に指が触れたか否かを判断する（ステップＳ１５）。指が触れていない場合は（ステップＳ１５：ＮＯ）、ステップＳ５（指が離れたと検出されているか否かの判断）へ行く。指が触れた場合は（ステップＳ１５：ＹＥＳ）、ステップＳ１（新しい文章を表示させる）に戻る。
【００４４】
なお、本実施形態では、触感提示する特徴位置を文章や文章の段落等の終端位置を例に説明したが、例えば段落等の始端位置、しおり位置、辞書などのインデックス等の特徴位置を触感提示するものであってもよい。また、段落等の始端位置と終端位置の両方を同時に触感提示する等、複数種類の特徴位置を組み合わせて同時に触感提示するものであってもよい。また操作者が、複数種類の特徴位置の中から触感提示したいものを任意に選択し設定することができるようにしてもよい。
【００４５】
ここで、しおり位置とは、表示制御部により表示されている文章中の、操作者が既に読んだ部分と読んでいない部分との境界等を示す。
また、複数種類の特徴位置を組み合わせて同時に触感提示するような場合には、種類毎に触感提示の態様を変えることが望ましい。例えば、段落等の始端位置と終端位置とを同時に触感提示する場合には、指位置からみて、終端位置は手前方向に向かった位置が凸であり、始端位置は奥行き方向に向かった位置が凸なので、操作者はこの２つを容易に判別できる。また例えば、始端位置や終端位置と、しおり位置とを同時に触感提示する場合には、始端位置や終端位置を比較的高くしたり長くしたり実線形状にし、しおり位置を比較的低くしたり短くしたり点線形状にすると、操作者がこれらの違いを容易に判別できるので望ましい。
【００４６】
＜まとめ＞
以上説明したように、本実施形態の構成によれば、表示している文章の特徴位置に相当する入力領域中の位置を、隆起、または陥没させることができるので、操作者は、自身の指で、隆起、または陥没を感じることにより特徴位置に達したことを感覚的に知ることができる。よって、操作者は、モニタの表示画面を見なくても次の操作を行うことができるので、操作者が迅速な操作を行うことができるという優れた効果を奏する。
【００４７】
［第１の変形例］
本変形例は、しおり位置を、特徴位置として触感提示するものである。
図１１は、本発明の第１の変形例に係る文章表示システム３０の機能構成の概要を示す図である。
図１１に示す文章表示システム３０は、文章表示装置３００、及び表示デバイス２００から構成されている。
【００４８】
文章表示装置３００は、表示デバイス２００に文章を表示させ、操作者による操作を受け付ける入出力装置であり、図１１に示すように、表示制御部１１０、入力部１２０、演算部１３０、触感提示部１４０、及びしおり管理部３１０を含む。
しおり管理部３１０は、操作者が文章を途中まで閲覧した後や文章を閉じる時等にしおり位置を記憶、及び更新し、また文章を開く時や操作者が指示した時に記憶されたしおり位置を出力して、特徴位置として触感提示させる。
しおり管理部３１０以外の構成要素、及び動作は第１の実施形態と同様である。
以上のように第１の変形例によれば、更新されるしおり位置を特徴位置として触感提示させることができるので、何回にも分けて小説などを読む場合や、文章を編集する場合等に大変便利である。
【００４９】
［第２の変形例］
第２の変形例は、辞書のインデックスを触感提示するものである。
本変形例の機能構成は第１の実施形態と同様である。
本変形例においては、表示制御部１１０は、予め定められた複数の見出し語の大きさや相互の位置関係等の特徴位置の情報を含む辞書の文章データを記憶し、当該辞書の文章データに基づいて表示デバイス２００に辞書のインデックスを表示させ、インデックスから個々の単語に対して迅速なアクセスを可能にする。
【００５０】
ここで、見出し語とは、例えば英和辞書のインデックスであれば、単語の先頭のアルファベット（「A」〜「Z」）の２６個であり、和英辞書や国語辞典のインデックスであれば、５０音の「あ」段（「あ」、「か」、「さ」〜「わ」）の１０個である。
また特徴位置を隆起、あるいは陥没させる構成及び動作は第１の実施形態と同様である。
【００５１】
図１２、図１３は、入力部１２０における２次元の入力領域に触感提示された辞書のインデックスの例を示す図である。
図１２に示すように、辞書のインデックスが例えばあたかも実物の辞書のように、階段状に触感提示される。ここで、一度に標示される項目の数は、固定値であってもよいし、操作者が任意に設定できるようにしてもよい。
【００５２】
ここで、例えば操作者が項目「た」のインデックスの突起に触ると、その項目「た」が認識されて、図１３に示すように、「た」の位置から辞書を開いたかのように、「た」よりも前にある項目「あ」、「か」、「さ」と「た」の部分の隆起が元に戻り、「た」から始まる個々の単語とその意味等が表示デバイス２００に表示される。
図１４は、入力部１２０における２次元の入力領域に触感提示された辞書のインデックスの他の例を示す図である。
図１４中の（ａ）の辞書のインデックスの例では、入力部１２０の一部が、−０．２ｍｍずつ３段階に陥没している。
また図１４中の（ｂ）の辞書のインデックスの例では、入力部１２０の一部が、０〜−０．６ｍｍまでなだらかな傾斜を形成して陥没している。
以上のように第２の変形例によれば、実物の辞書のような凹凸のあるインデックスを提示することができるので、操作者に手探りで見出し語を探す感覚を与えることができ、同時に操作者が迅速な操作を行うことができるという優れた効果を備える。
【００５３】
［第３の変形例］
第３の変形例は、触感提示することが可能な項目を複数備え、操作者が、項目別に触感提示するか否かを設定することを可能とするものである。
ここで、触感提示することが選択可能な項目を、例えば段落等の終端位置、始端位置、しおり位置、及びインデックスとする。さらに、インデックスが触感提示するものとして選択する場合には、一度に触感提示する見出し語の数を設定することができる。
図１５は、本発明の第３の変形例に係る文章表示システム４０の機能構成の概要を示す図である。
【００５４】
図１５に示す文章表示システム４０は、文章表示装置４００、及び表示デバイス２００から構成されている。
文章表示装置４００は、表示デバイス２００に文章を表示させ、操作者による操作を受け付ける入出力装置であり、図１５に示すように、表示制御部１１０、入力部１２０、演算部１３０、触感提示部１４０、及び項目設定部４１０を含む。
項目設定部４１０は、操作者によりアイコンがクリックされる等して設定用画面の選択の指示がなされると、表示デバイス２００に設定用画面を表示させ、触感提示させる項目の選択を操作者から受け付ける。
図１６は、表示デバイス２００に表示される設定用画面を示す図である。
【００５５】
図１６に示すように、各項目毎にチェックボックスが設置されており、操作者は、感触提示させたい項目のチェックボックスのみに選択的にチェックを入れることができる。また、インデックスのチェックボックスにチェックを入れた場合には、一度に触感提示する見出し語の最大数を設定することができる。ここでは、「文章の始端位置」、「文章の終端位置」、「段落の始端位置」、「段落の終端位置」、「しおりの位置」、「辞書のインディックス」について、触感提示させるか否かを操作者が選択することができる。さらに、隆起させる陥没させるか、実線であるか点線であるか、提示の高さ（深さ）を項目別に設定できるようにしている。
なお、上記の設定の他にもいろいろと設定できるようにしてもよい。例えば、隆起や陥没する形状を項目別に設定できるようにしてもよい。
【００５６】
以下に、隆起や陥没する形状のいろいろな具体例を示す。
図１７は、横方向に指を動かし、画面を横スクロールさせる際の触感提示の様子を示す図である。
例えば書籍のデータは縦書き横スクロールが多いので、図１７に示すような縦長の隆起による触感提示の利用価値は高い。
図１８は、円形の領域を隆起させて触感提示する様子を示す図である。
例えば地図上の目的物や目的地を表すには、四方八方から指が接触してくるので、角の無い丸い形状が望ましい。よって、図１８に示すような円柱形状の隆起による触感提示も利用価値が高い。
【００５７】
図１９は、ドーナツ型を半分にしたような、奥側に向かって凹の領域を隆起させて触感提示する様子を示す図である。
例えば図１９に示すように、奥から手前方向へ移動する指の操作を中央で受け止めるような形状を隆起させることにより、操作者が入力領域を全く見ずに操作を行っても、隆起部分に触れる度に左右方向のブレが修正されるため、迅速な操作を継続して行うことが容易になる。
以上のように第３の変形例によれば、操作者毎の意向や嗜好に合うように、操作者はカスタマイズして触感提示機能を活用することができるので、大変使い勝手かよい。
【００５８】
［第４の変形例］
第１の実施形態は、ポインティングデバイスの入力領域の一部を、実際に隆起、または陥没させることにより、操作者に対して表示された文章中の特定の位置が、隆起、または陥没している触感を与え、操作者に対して表示された文章中の特定の位置を感覚的に提示するものである。これに対して、第４の変形例は、ポインティングデバイスの入力領域の一部又は全部に、振動による擬似的な隆起または陥没を起こさせることにより、操作者に対して表示された文章中の特定の位置が、隆起、または陥没している触感を与え、操作者に対して表示された文章中の特定の位置を感覚的に提示するものである。
【００５９】
図２０は、本発明の第４の変形例に係る文章表示システム５０の機能構成の概要を示す図である。
図２０に示す文章表示システム５０は、文章表示装置５００、及び表示デバイス２００から構成されている。なお、図２に示した第１の実施形態の２０と同様の構成要素には同一番号を付し、その説明を省略する。
【００６０】
文章表示装置５００は、表示デバイス２００に文章を表示させ、操作者による操作を受け付ける入出力装置であり、図２０に示すように、表示制御部１１０、入力部１２０、演算部１３０、及び擬似触感提示部５４０を含む。
擬似触感提示部５４０は、入力部１２０の２次元の入力領域の一部又は全部に、適宜特定の振動数の振動を与え、入力デバイスの入力領域における演算部１３０により算出された座標値が示す位置を、擬似的に隆起、または陥没させる。
【００６１】
振動により擬似的な隆起または陥没を起こさせる原理、及び方法については、例えば、触感提示デバイスが、形状を変えなくても、振動によりユーザは触感からテクスチャパターンを認識ができるという論文（Ｖｉｂｒａｔｏｒｙ  Ｔａｃｔｉｌｅ  Ｄｉｓｐｌａｙ  ｏｆ  Ｉｍａｇｅ−Ｂａｓｅｄ  Ｔｅｘｔｕｒｅｓ：Ｙａｓｕｓｈｉ  Ｉｋｅｉ，  Ｋａｚｕｆｕｍｉ  Ｗａｋａｍａｔｓｕ，  ａｎｄ  Ｓｈｕｉｃｈｉ  Ｆｕｋｕｄａ：Ｔｏｋｙｏ  Ｍｅｔｒｏｐｏｌｉｔａｎ  Ｉｎｓｔｉｔｕｔｅ  ｏｆ  Ｔｅｃｈｎｏｌｏｇｙ：０２７２−１７１６／９７／＄１０．００  (c)  １９９７ ＩＥＥＥ：ＩＥＥＥ Ｃｏｍｐｕｔｅｒ  Ｇｒａｐｈｉｃｓ ａｎｄ Ａｐｐｌｉｃａｔｉｏｎｓ：Ａｕｔｈｏｒｉｚｅｄ  ｌｉｃｅｎｓｅｄ  ｕｓｅ  ｌｉｍｉｔｅｄ  ｔｏ：  Ｐａｎａｓｏｎｉｃ  Ｃｏｒｐｏｒａｔｉｏｎ．  Ｄｏｗｎｌｏａｄｅｄ  ｏｎ  Ｄｅｃｅｍｂｅｒ  ２２，  ２００９  ａｔ  ０３：０５  ｆｒｏｍ  ＩＥＥＥ  Ｘｐｌｏｒｅ．  Ｒｅｓｔｒｉｃｔｉｏｎｓ  ａｐｐｌｙ．）に記載されている。よって、本変形例は、このような論文による従来技術を応用すれば実施が可能である。
【００６２】
なお、振動による擬似的な隆起、または陥没では、細かい座標値まで正確に表せない場合には、その細かい分だけ表示位置の方を適宜変更するか、又は、入力デバイスの入力領域におけるスケールと、入力デバイスによる移動量との割合を適宜変更することによって、位置を調整するとよい。
以上のように第４の変形例によれば、表示している文章の特徴位置に相当する入力領域中の位置を、振動による擬似的な隆起または陥没を起こさせて触感提示させることができるので、操作者は、自身の指で、擬似的な隆起、または陥没を感じることにより特徴位置に達したことを感覚的に知ることができる。
【００６３】
なお、各変形例は矛盾が生じない限り、適宜組み合わせることができる。
また、上述の実施形態は、記憶装置（ＲＯＭ、ＲＡＭ、ハードディスク等）に格納された上述の処理手順をＣＰＵに実行させることができるプログラムを、ＣＰＵに実行させることによっても実現できる。この場合、当該プログラムは、記録媒体を介して記憶装置内に格納された上で実行されてもよいし、記録媒体上から直接実行されてもよい。ここでの記録媒体は、ＲＯＭ、ＲＡＭ、フラッシュメモリ等の半導体メモリ、フレキシブルディスクやハードディスク等の磁気ディスクメモリ、ＣＤ−ＲＯＭやＤＶＤ、ＢＤ等の光ディスク、メモリカード等の記録媒体をいう。また、記録媒体は、電話回線や搬送路等の通信媒体も含む概念である。
【００６４】
本願の発明を含む通信システムは、Ｅｔｈｅｒｎｅｔ（登録商標）インタフェース、ＩＥＥＥ１３９４インタフェース、ＵＳＢインタフェース等の信号インタフェースを電力線通信のインタフェースに変換するアダプタの形態を取ることによって、各種のインタフェースを有するパーソナルコンピュータ、ＤＶＤレコーダ、デジタルテレビ、及びホームサーバシステム等のマルチメディア機器に接続することができる。これによって、電力線を媒体としたマルチメディアデータ等のデジタルデータを高速伝送するネットワークシステムを構築することが可能となる。この結果、従来の有線ＬＡＮのようにネットワークケーブルを新たに敷設することなく、家庭、オフィス等に既に設置されている電力線をそのままネットワーク回線として利用できるので、コスト面、設置の容易性からその利便性は大きい。
【００６５】
また、将来的にはパーソナルコンピュータ、ＤＶＤレコーダ、デジタルテレビ、及びホームサーバシステム等のマルチメディア機器が本発明を含む機能を内蔵することにより、マルチメディア機器の電源コードを介して機器間のデータ伝送が可能になる。この場合、アダプタやＥｔｈｅｒｎｅｔケーブル、ＩＥＥＥ１３９４ケーブル、ＵＳＢケーブルなどが不要になり、配線が簡略化される。また、ルータを介してインターネットへの接続や、無線ＬＡＮや従来の有線ケーブルのＬＡＮにハブ等を用いて接続することができるので、本発明の高速電力線伝送システムを用いたＬＡＮシステムの拡張に何らの問題も生じない。
【００６６】
また、電力線伝送方式では、通信データが電力線を介して流されるため、無線ＬＡＮのように電波が傍受されてデータが漏洩するという問題が生じない。よって、電力線伝送方式は、セキュリティの面からのデータ保護にも効果を有する。もちろん、電力線を流れるデータは、例えばＩＰプロトコルにおけるＩＰｓｅｃ、コンテンツ自身の暗号化、その他のＤＲＭ（Ｄｉｇｉｔａｌ  Ｒｉｇｈｔｓ  Ｍａｎａｇｅｍｅｎｔ）方式等で保護される。
【００６７】
このように、コンテンツの暗号化による著作権保護機能や本発明の効果（スループットの向上、再送増加やトラフィック変動に柔軟に対応した帯域割り当て）を含めたＱｏＳ（Ｑｕａｌｉｔｙ  ｏｆ  Ｓｅｒｖｉｃｅ）機能を実装することによって、電力線を用いた高品質なＡＶコンテンツの伝送が可能となる。
以上、本発明を詳細に説明してきたが、前述の説明はあらゆる点において本発明の例示にすぎず、その範囲を限定しようとするものではない。従って、本発明の範囲を逸脱することなく種々の改良や変形を行うことができる。
【産業上の利用可能性】
【００６８】
本発明の文章表示装置、文章表示プログラム、及び文章表示方法はあらゆる文章の表示、閲覧等に利用可能であり、感覚的に操作ができ、かつ迅速な操作が可能となるので、個人用、或いは業務用のパソコン等の全てに対して大変有用である。
【符号の説明】
【００６９】
１０      文章表示システム
１１      モニタ
１２      タッチパッド
１３      パソコン本体
１４      触感提示デバイス
２０      文章表示システム
３０      文章表示システム
４０      文章表示システム
５０      文章表示システム
１００    文章表示装置
１１０    表示制御部
１２０    入力部
１３０    演算部
１３１    表示領域演算部
１３２    仮想端点演算部
１３３    提示演算部
１４０    触感提示部
２００    表示デバイス
３００    文章表示装置
３１０    しおり設定部
４００    文章表示装置
４１０    項目設定部
５００  文章表示装置
５４０  擬似触感提示部
【図１】
0005449403.tif 000002
【図２】
0005449403.tif 000003
【図３】
0005449403.tif 000004
【図４】
0005449403.tif 000005
【図５】
0005449403.tif 000006
【図６】
0005449403.tif 000007
【図７】
0005449403.tif 000008
【図８】
0005449403.tif 000009
【図９】
0005449403.tif 000010
【図１０】
0005449403.tif 000011
【図１１】
0005449403.tif 000012
【図１２】
0005449403.tif 000013
【図１３】
0005449403.tif 000014
【図１４】
0005449403.tif 000015
【図１５】
0005449403.tif 000016
【図１６】
0005449403.tif 000017
【図１７】
0005449403.tif 000018
【図１８】
0005449403.tif 000019
【図１９】
0005449403.tif 000020
【図２０】
0005449403.tif 000021